(57)【要約】【課題】  オーダーメイド補聴器の音響ダンパーの取り出し作業を、補聴器に如何なる損傷を与える事無く容易化を達成する。【解決手段】  補聴器音口部３１から細い音道ゴム管３０に挿入された微小な音響ダンパー部材２７を、親指と人差し指で摘むダンパー取り出し器の右と左グリップ部１４ａと１４ｂに向き合で調合するトルクを加入し、一対のアーム部材４ａと４ｂを開角して、アーム先端突起部７ａと７ｂが音響ダンパー内側面の対角の２点に確り結合し、操作手をそのまま引き上げて、オーダーメイド補聴器に如何なるダメージを与える事無く、容易に取り出し作業を行なう。【選択図】図２
2009089337.tif 000002
【特許請求の範囲】
【請求項１】
音響ダンパーの内側面の内側に挿入する複数の微小鋭角な突起部を有し、音響ダンパーの内側面方向に接するように前記突起部が可動する構造としたことを特徴とする音響ダンパー取り出し器。
【請求項２】
請求項１において、前記突起物が可動する構造として指先で摘む右左一対のハンドル部を設け、右ハンドル部材の前部に、針状の右アーム部材を右ハンドル部材の先端から前方に張り出すように設けて、左ハンドル部材の前部に、右ハンドル部と同じに針状の左アーム部材が左ハンドル部材の先端から前方に張り出すように設け、右と左のアーム部材の先端部に、音響ダンパーの内側面の対角の２点に互いに結合する前記に示した微小鋭角な突起部を形成し、右と左のハンドル部材が、一定角度自在に開閉出来る蝶番で連結されていることを特徴とする音響ダンパー取出し器。
【請求項３】
請求項１に示した、右と左のハンドル部材の前端部から張り出した右と左のアーム部材は、ハンドル前端より互いに内方向に曲折し、右と左のアーム部材の接合点で、外方向と、約逆Ｌ字型に下方に曲折し、接合点から先端部までの内側面を扁平に形成し、右と左のアーム部材を内側面で互いに密に接合して、外側面を先端部に向かって鶴口箸状に一定割合で細くなるように形成したことを特徴とする、音響ダンパー取出し器。
【請求項４】
請求項１に示した右と左のアーム先端部の微小鋭角な突起部は、突起部の上面部が凸型の曲面になっており、突起先端部が水平か僅かに上向で  、突起先端部よりアーム先端部を結ぶ稜線は、右と左のアーム部材の先端部を重合した形状が矢型なり、右と左の突起部先端間の寸法を前記に示す音響ダンパーの内側直径より僅かに小さく形成したことを特徴とする、音響ダンパー取出し器。
【請求項５】
請求項１に示した右と左のハンドル部には、右と左のハンドル部材の内方側面にスプリング部材を勘着する勘着凹部を相応するように設け、右と左の勘着凹部に、前記に示した音響ダンパー取り出し器の操作に弾性の調合いするスプリング部材を勘着したことを特徴とする、音響ダンパー取出し器。
【請求項６】
請求項１に示した右と左のハンドル部材の外方側面部に、蝶番軸中心より若干後方に指先に馴染む凹型の指当てグリップを形成したことを特徴とする、音響ダンパー取出し器。
【請求項７】
請求項１に示した右と左のハンドル部のハンドル部材を、前記に示した、右と左のアーム部材の後端部端末を後方向に伸延曲折して折り返し、ハンドル部材を代用するように形成し、右と左のアーム伸延部の後部に、スプリング部材を勘着するに調合する右と左のカップ状のスプリング嵌着部材を相応に設け、右と左の勘着部材にスプリング部材を勘着し、指先に調合するカップ型の指グリップ部材を蝶番部材側面の、前記請求項６に示した蝶番軸中心より若干後方のグリップ部の位置と同様の位置に設け、前記に構成した音響ダンパー取出し器と同一性能と成る事を特徴とする、音響ダンパー取出し器。
【請求項８】
請求項１に示したハンドル部材の前部に、アーム先端部を照らすＬＥＤを設けたことを特徴とする、音響ダンパー取出し器。
【発明の詳細な説明】
【技術分野】
【０００１】  本発明は、オーダーメイド補聴器の音響ダンパーの交換を容易に行うための、取り出し器に関する。
【背景技術】
【０００２】  オーダーメイド補聴器には音響出力の音響出力レシーバーと、シェル音口部を接続して音響を伝達する細い音道ゴム管があり、その音道ゴム管の中に、音響特性を調節する内径１ｍｍ程の微細なバスケット状の音響ダンパーが入っている、これが装用中に耳垢や湿気等で汚れしまい音響出力が低下する、音口部には防塵フイルターも有るが、内耳内の微細な塵や湿気は通り抜け音響ダンパーに堆積する、この汚れた音響ダンパーを取り出して新品と交換する、時には、アフターサービスの点検時などでも交換するのであるが、従来は、細身の注射針の先端を僅かに折り返して突起を構成し、その突起を音響ダンパーの内側面に結合して取り出していた、上記による作業はすこぶる単純では有るが、音響ダンパー内側面と注射針先端突起がなかなか巧く咬み合わず、音響ダンパーが横向きに廻ったり、針先突起先端が音響ダンパーから外れた余力で、突起先端が音道ゴム管側面に亀裂を発生したり、又、重複操作中に音響ダンパーが音道ゴム管の奥に入り込んで僅かな力の操作にも係わらず、レシーバーの接続部から音道ゴム管端末が脱絡する事も有り、上記に示すように音道ゴム管が亀裂したり脱絡をすると、出力音声にハウリングが起きたり適正な音質が利得できず、本器を預かり管理医療機器修理業の資格を持つ専門職のもとで、補聴器本体のシェル部とフェース部（外側を向いている部材）を剥離し、内容部品を全部取り出し音道ゴム管を交換するのである、この修繕には、預かり期間の装用者へ不便さと、高額な工賃が負担と成って来る。【０００３】  図１３で示す従来の音響ダンパー取出し作業は、一方の手の指先で補聴器本体のシェル２６を上に向けて摘み、注射針３５の注射針先端部３６を折り返して注射針突起部３６ａを構成した注射針３５を、他方の手の親指と人差し指で注射器接続部３７を摘み、補聴器の音口部３１より針先端部３６を差し込み、細い音道ゴム管３０内にある微細な音響ダンパー２７の内側面の結合点ｇに針先突起部３６ａを引掛けて、注射器接続部３７を摘んだその手を引き上ながら音響ダンパー２７を取り出す、この時、結合対応点がｇ点の一点のため、音響ダンパーとの結合が巧く行かず、音響ダンパー２７が横向けに廻ったり、針先突起部３６ａが結合点ｇより脱落した余力で突起部先端が音道ゴム管側面に亀裂を生じたり、作業のやり直し中に針先端部３６の僅かな応力により、音響出力レシーバー２８の接続部２９から、音道ゴム管３０の端末部３０ａが３０ｂの図に示すように脱絡して、ダンパー２７は２７ａの図に示すように音道ゴム管端末からりシェル内部に脱出してしまい、店頭での修繕処置は出来なくなり、修繕には前項０００２に示しすように、重大な問題と成る。
【発明の開示】
【発明が解決しようとする課題】
【０００４】  前記に述べた従来の注射針による音響ダンパーの交換では、交換作業中に過大な神経の負担を負いながらも、時々、上記に示すような重大なトラブルに遭遇する。【０００５】  本発明は、僅かな習熟により殆どの作業において、上記に示した音道ゴム管内の音響ダンパー取り出しに、音道ゴム管内で音響ダンパーが横向きに廻ったり、音道ゴム管に亀裂や音声出力レシーバーから脱絡するような重大なトラブルを発生する事無く、音響ダンパーの取出し交換が容易に出来る事を目的とするものである。
【発明が解決するための手段】
【０００６】  そして、本発明は上記に示す課題を解決するために、音響ダンパーの取り出し作業で、針先が音道ゴム管に外方向への余圧を与えないように、針先が音響ダンパー内側面に確り結合するように、音響ダンパー内側面と針先の突起部との結合作用点を対角の２点になるように、音響ダンパー内側面に接する微小超鋭角な突起部を、細い針状の右アーム部材と左アーム部材の先端の外方側面に外向きに形成し、親指と人差し指の２本の指先で摘むハンドル部材の右と左ハンドルの内方側面に、ハンドル部材から一対で前方に張り出すように一対の蝶番部材と上下に連ねて構成し、前記音響ダンパー内側面の側面の２点に突起部が均等に可動し確り結合して、音道ゴム管内から音響ダンパーを適確に取り出せて、音響ダンパー取り出し作業を容易化する。
【０００７】  前記に示す、右と左のアーム部材はハンドルより水平で一直線に張り出すと、音道ゴム管内を操作するアーム先端部の様子が、操作する指先にて視線が遮られてしまい作業に支障するので、アーム部材の途中に約逆Ｌ字型の下方向への曲りを設け、視線の改善を図り作業を容易化する。
【０００８】  取り出す音響ダンパーは、籠状に編みこんだ内径１ｍｍ程の極めて小さ部品で有り、細い音道ゴム管に挿入されているので、細い音道ゴム管と音響ダンパー内側面を自在に進退操作出来るように、前記に示す針状の右と左のアーム部材の約逆Ｌ字型の下方向への曲部から先端部は内方側面を超扁平にし、扁平な内側面どうしを接合して、外方側面を先端部に向って鶴口箸状に細く形成し、音響ダンパー取り出し器のアーム先端部の調応力と操作性の容易化を図る。
【０００９】  前記０００８項に示す右と左の突起部は、前記右と左のアーム先端部を重接した時、右と左の突起先端部間の寸法を、音響ダンパーの内径よりも僅かに狭く形成し、アーム先端部と右と左の突起先端部を結ぶ稜線の勾配を、右左アーム先端部を重接して先端部が矢型の後退角の形状に形成し、音道ゴム管と、音響ダンパー内側面を自在に進入出来るようにする。
【００１０】  前記０００６項に示す右ハンドル部材と左ハンドル部材の後部の内方側面には、スプリング部材を勘着する円形のスプリング勘着凹部を相応に設けて、前記に示す、右と左のアーム先端部を通常は閉じて、音響ダンパー取り出し器の操作には調応するスプリング部材を、前記の右と左のスプリング勘着凹部に勘着して操作を容易化する。
【００１１】  前記０００６項に示すダンパー取り出し器は、右と左のハンドル部材の外方側面に、指先を置くための、指先に馴染みやすい円形の凹型グリップ部を、前記に示す蝶番軸中心より若干後方の適所に設けて、微細な音響ダンパー取り出し作業の容易化向上を図る。
【発明の効果】
【００１２】  本発明の音響ダンパー取り出し器は、取り出すための音響ダンパーの内側面の対角の２点に接する突起部を、細い針状のアーム部材の先端外方側面に微小鋭角に一対に形成し、一対の指先で摘むハンドル部材の内方前部側面に、一対で向き合いの開閉の出来る蝶番部材と前記のアーム部材の後部を上下に並べて構成し、ハンドル部材を指先で閉角して、突起部が音響ダンパー内側面に向って可動して、音響ダンパー内側面に確り咬み合い結合し、細い音道ゴム管内で音響ダンパーが横向きや、一対のアーム先端突起部から取り出す音響ダンパーが脱落して音道ゴム管に損傷を与えたり、音道ゴム管に余分な負荷を加えてレシーバー接続部から音道ゴム管接続部が脱絡したりするような、重大なトラブルにまぎわされる事を解消した。
【００１３】  突起部を構成した前記のアーム部材は、ハンドル部材より一直線で張り出していると、操作指先によりアーム先端部の視線が阻害するので、ハンドル先端部より一対で張り出して、向き合いで内方向に曲析した接合点で約逆Ｌ字の下方に曲折して、視線の障害を回避し、前記の下方の曲析部より、両アーム部材内側面を超扁平にし先端部に向けて鶴口箸状に細く形成して、細い音道ゴム管内の緻密な操作の向上を図りながら、細いアーム部材の形状変化を阻止し、アーム先端部の対調応力を強化した。
【００１４】  ００１２項に示したアーム先端外方側面の外方に形成する突起は、細い針先を曲析しても良いが、軟質の素材では加工は容易だが対応力が無く、硬質の素材では熱処理をしないで曲析加工すると針先先端が破損し、熱処理での曲析加工は超微細な突起を曲析加工しても、突起のサイズと形状を一定化したり、曲折部の強度を確保するのが難しい、針状のアーム先端外方側面の外方に形成する突起部を、ドーナツの内側面のような形状から研削加工し、微小超鋭角な突起を形成すると、音響ダンパー取り出し操作に対する、突起部の音響ダンパー内側面の２点への結合力を強化しながら対破損効果が向上できた。
【００１５】  前記に示す突起部の突起先端部とアーム先端部を結ぶ右左一対の先端稜線部は矢型に形成して、音響ダンパー取り出し作業時のアーム先端部が、音道ゴム管と音響ダンパー内側面への挿入阻害要因を回避できた。
【００１６】  ００１２項に示した突起部先端の可動調応力をコントロールするために、前記のハンドル部の後部に弾性力の調合するスプリング部材を構成して、音響ダンパー取り出し器の操作性能を向上できた。
【００１７】  音響ダンパー取り出し作業は、音響ダンパーが微細なので、前記のハンドル部材に設けた蝶番部材の固着位置より僅かに後方のハンドル部材の外方側面に、指先で摘み易い円形凹型の指グリプを形成して、指先による緻密な操作作業を容易化できた。
【００１８】  前記に示した、音響ダンパー取り出し器のハンドル部材を、前記アーム部材後部端末部を伸延曲析して、ハンドルを形成し、後端部にスプリング部材を嵌着するボックスを向き合いで構成して、嵌着ボックスにスプリング部材を嵌着し、前記の蝶番部材の側面僅か後方に、指先に馴染むカップ状の指グリップを口金を外方向にむけて構成し、前記音響ダンパー取り出し器と同一性能の音響ダンパー取り出し器が構成できた。
【００１９】  前項００１２から００１７に示した音響ダンパー取り出し器の前端部に、前記アーム先端部を照らす極小型のＬＥＤランプを構成すると、前記の音道ゴム管内のアーム先端部挿入操作に、アーム先端部が明瞭になり作業環境が改善した。
【発明を実施するための最良の形態】
【実施例１】
【００２０】  図１〜図４は、本発明の実施形態に係る実施例１の音響ダンパー取り出し器１を示し、図１はその正面図、図２は側面図、図３は上面図、図４は分解斜図、図５と図６は右と左のアーム先端部の部分拡大図、図７は右突起部の詳細超拡大図、図８、９は図７の部分断面図、図１０は図４のハンドル部の一部併案図、図１２は本発明による実施状態を断面図で示した。【００２１】  図１〜図４に示すダンパー取り出し器１は、図１２に示す、音道ゴム管３０に挿入された内径１ｍｍ程の微細な音響ダンパー２７を取り出し操作するために、音響ダンパー内側面の対角のｅ，ｆの２点に可動し接する微細な一対の右と左の突起部２ａと２ｂを、針状の一対の右と左のアーム部材３ａと３ｂの右と左の先端部４ａと４ｂの外方側面に、右と左の突起先端部２ｃと２ｄが音響ダンパーの内側面の対角の２点に互いに向つて形成し、指先で摘むハンドル部材の右ハンドル部材５ａから前記のアーム部材３ａが前方に張出して、ハンドル前端部のＡａの位置に、右アーム部材３ａのアーム後端部６ａと右と左ハンドル部材５ａと５ｂとが連結可動するための一対の蝶番部材の右蝶番部材７ａとを上下に連ねて固着し、左ハンドル部材５ｂから前記のアーム部材３ｂが前方に張出して、ハンドル前端部のＡｂの位置に、左アーム部材３ｂのアーム後端部６ｂと前記に示した蝶番部材の左蝶番部材７ｂとを上下に連ねて固着し、前記右と左の蝶番部材７ａと７ｄの蝶番軸孔部７ｃと７ｄとを一連に組み合わせて、右と左の蝶番軸孔７ｃと７ｄに蝶番軸部材７ｅを嵌着して連結し、前記の右と左のハンドル部材５ａと５ｂが一定角度自在に開閉して、突起部２ａと２ｂが音響ダンパー２７の内側面の対角の２点に向って可動接合するよう構成する。【００２２】  前記００２１に示した、右と左の針状のアーム部材３ａと３ｂは、右と左のハンドル部材５ａと５ｂの内方側面の固着点ＡａとＡｂに近いＢａ点とＢｂ点より、互に内方向に曲折して前方に張り出し、蝶番軸中心線Ｃから寸法ＤのＥ点で接合し、接合点Ｅで外側方と約逆Ｌ字型の∠αで下方に曲折して、右アーム前端部８ａと左アーム前端部８ｂを接合点Ｅからアーム先端部４までの寸法Ｆで構成し、右と左のアーム前端部８ａと８ｂの内側面８ｃと８ｄが接合するよう形成して、アーム先端部４に対する視界の最適化と操作性の容易化を図る。【００２３】  前記に示す右と左のアーム部材３ａと３ｂは、蝶番軸中心線Ｃの位置より右と左アーム部材接合点Ｅまでの寸法Ｄを５ｍｍ〜８ｍｍ前後、接合点Ｅより先端部４までの寸法Ｆを１０ｍｍ〜１６ｍｍ前後で、接合点Ｅの約逆Ｌ字の曲折角αを∠５０°〜７０°前後に形成する時、アーム先端部４に、指先から伝わる微細な動きと、視線の確保が最適化し、指先に加えるトルクがアーム先端突起部２ａと２ｂに伝達調合して、操作の容易化が図れる。【００２４】  前記で示した音響ダンパー２７は微細な部品で籠状に形成されていて、内径の細い音道ゴム管３０に挿入されている、これらの環境にて緻密に操作する為に、前記００２３項に示した、右アーム部材３ａと左アーム部材３ｂは、右と左のアーム前端部８ａと８ｂを、図１、図２、図３に示す横断図形ＧａとＧｂに示した半円形に前端内方側面部８ｃと８ｄは、右と左のアーム先端部４ａと４ｂまで互いに緻密に重接するよう超扁平にし、前記右と左のアーム前端部８ａと８ｂを一対に重合して横断図形Ｇに示す円形状で、前記接合点Ｅより右と左のアーム先端部４ａと４ｂに向かって外側面を一定の勾配にて極細長く鶴口箸状に形成し、アーム先端部の操作性とトルクの調応力の向上化を図る。【００２５】  前項００２１に示す右アーム先端突起部２ａは、アーム先端部拡大図の図５と図６と図７
2009089337.tif 000003
アーム先端横側面部４ｃと４ｄから突起先端部２ｃに向う角βを約∠２５°前後の超鋭角で形成し、前記に示す左アーム突起部２ｂも横側面部４ｅと４ｆから突起先端部２ｄに向う角βを約∠２５°前後の前記右突起部２ａと同一の超鋭角で形成し、右と左一対のアーム突起先端部２ｃと２ｄの操作性と強度の調和向上を図る。【００２６】  前項に示す右アーム先端の突起部２ａは、図７の右アーム先端部詳細超拡大図で示すと、突起先端部２ｃからアーム部材の先端内方側面部８ｃまでの寸法Ｌを、前記に示す音響ダンパー２７の内側面の内径の１／２より僅かに小さく、アーム前端部８ａの外方側面から突起先端部２ｃまでの突起上面部２ｅはドーナツの内側面のような凸型曲面から研削形成し、曲面部２ｅを図７の突起部の一部断図９で示す山型の円弧の形状にし、図７の前記突起上面部２ｅの上端曲面部２ｆは曲率が円Ｍで、円Ｍの直径は約前記に示す音響ダンパー２７の約半径の値で、円Ｍはドーナツ型で示すと、ドーナツ型の内側面の直径に相当し、円Ｍの中心線Ｎより突起先端部２ｃの寸法Ｏは外方向に０〜円Ｍの直径の約１／８のサイズで突起最先端部∠θが水平か若干上向きに成るよう形成する、前項００２５に示した左突起部２ｂも前記に示す右アーム先端突起部２ａと同一形状に形成して、右と左のアーム先端突起部の強度化と音響ダンパー内側面の２点との結合の適確化をより図り、機能性を向上する。【００２７】  前記に示す図７の右アーム先端部４ａと右突起先端部２ｃを結ぶ稜線部９ａは、アーム部材の先端内方側面８ｃから∠γの鋭角で形成し、前記に示した左アーム突起部２ｂの稜線部９ｂも、右アーム先端稜線部９ａと反対向きの同一形状に形成して、右と左のアーム先端部４ａと４ｂを重合して矢型に構成し、アーム先端部４が図１２に示す補聴器音口部３１から音道ゴム管３０と音響ダンパー２７の内側面に至る挿入操作を容易化する。【００２８】  前項００２１から００２２に示す右と左のハンドル部材５ａと５ｂの後部内方側面には、スプリング部材１０を嵌着するための、円形で内径がスプリング部材１０の外形より僅かに大きい右と左のスプリング嵌着凹部１０ａと１０ｂを、蝶番軸中心線Ｃ〜嵌着凹部中心線Ｈまでの寸法値  Ｉで形成し、寸法Ｉを約１０ｍｍ〜２０ｍｍ前後に取り、前記右と左の嵌着凹部１０ａと１０ｂに音響ダンパー取り出し操作に弾力の調応するスプリング部材１０を嵌着し、通常は右と左のアーム先端部４ａと４ｂが接合するよう構成し、音響ダンパー取り出し操作作業には操作応力の調応化を図る。【００２９】  前項００２１から００２２に示す、右と左のハンドル部材５ａと５ｂの外方側面には、指先に馴染みやすい円形凹型の右と左の指グリップ部１１ａと１１ｂを形成する、指グリップ部の中心位置は蝶番軸中心線Ｃから離れて後方になると、前記に示すアーム先端部４から指グリップ部１１ａと１１ｂまでの距離が長く成り、グリップ部１１ａと１１ｂに回転力が強まったり、指先の動作がアーム先端部４に微妙に反応して音響ダンパー取り出し器の操作が難くなり、指グリプ部の位置が、前記と反対に蝶番軸中心線Ｃから前方の位置すると、右と左のハンドル部材２ａと２ｂの開閉操作が支障して、前記右と左の突起部２ａと２ｂへのトル��が上手く伝達しない、指グリップ部の適所の中心位置は蝶番軸中心線Ｃの僅か後方約３ｍｍ〜７ｍｍ前後で、高さをハンドル部材の上下の中心の位置に設けて、ダンパー取り出し器の音響ダンパー取り出し操作の性能向上と安定化を図る。【００３０】  前記に示した音響ダンパー取り出し器１の操作は、図１２で説明すると、オーダーメイド補聴器の音孔部３１を上向けに補聴器本体のシェル部２６を指先で掴み、音口部の防塵フィルター部材３２を取り外してから、反対側の手の人差し指と親指の指先で、ダンパー取り出し器の右と左のハンドル部５ａと５ｂに設けた、右と左の指グリップ部１１ａと１１ｂを、図１２で示すように両側面から摘み、、補聴器音口部３１から音道ゴム管３０の中に、右左のアーム先端部４ａと４ｂを閉じたＰの図形の状態で、音響ダンパー部材２７の底に接触するまでソフトに挿入し、ハンドルを摘む人差指と親指に向き合で適合いのトルクを加入し、アーム先端部４ａと４ｂを開き、音響ダンパー部材２７の内側面のｅ点と対角のｆ点の２点に、右と左の突起部２ａと２ｂの突起先端部２ｃと２ｄを確り結合して、ダンパー取り出し器１を掴む手を上方向に引き上げると、音響ダンパー取り出し作業で音道ゴム管に害圧を加えたり、音響ダンパー部材２７が音道ゴム管３０の内部で回転したり前記の右と左の突起部２ａと２ｂから離脱する事無く適確に取り出せて、音響ダンパー取り出し作業が気軽に手早く容易に行える。
【実施例２】
【００３１】  図１０に示す実施例２のダンパー取り出し器１３は、実施例１に示した音響ダンパー取り出し器１の一部副案で、右と左のハンドル部材５ａと５ｂを、前記の右と左のアーム部材３ａと３ｂの後端部端末１２ａと１２ｂを、図１０に示すように伸延曲折し、右と左の伸延曲折部１４ａと１４ｂを形成し、伸延曲折部から伸長した右と左のアーム伸延最終端末部１２ｃと１２ｄを、右蝶番部材７ａと左蝶番部材７ｂの外方側面部のＡｃとＡｄ点に固着して、右と左のアーム伸延曲折部１４ａと１４ｂに、内径がスプリング部材１０の外経より僅かに大きいカップ型の、右と左同型のスプリング嵌着ボックス部材１５ａと１５ｂを口金を相対に内方向に向けて設け、スプリング部材１０を前記の右と左の嵌着ボックス１５ａと１５ｂに嵌着し、前記に示す右と左のアーム最終端末部１２ｃと１２ｄの外方側面ＡｅとＡｆには、指先に馴染む右と左の円形のカップ型グリップ材１６ａと１６ｂを、口金を外方向で相対に、上項００２９に示した指グリップと同一機構に成る位置に固着し、実施例１に示すダンパー取り出し器１の右ハンドル部材５ａと左ハンドル部材５ｂを、右アーム伸延曲折部１４ａと左アーム伸延曲折部１４ｂで代替し、実施例１に示した音響ダンパー取り出し器１と同一性能となる音響ダンパー取出し器１３を構成する。
【実施例３】
【００３２】  図１１に示すＬＥＤの超小型の照明器具１７は、ＬＥＤ連結部材１８に連結ビス１９で固定し、前記に示したアーム先端部４への視線を阻害しない位置で、実施例１に示した音響ダンパー取り出し器１のハンドル部材５ａ又は、５ｂの先端部に固定し、リード線２０をハンドル部材５ａの内方側面に設けたボタン電池ホルダー部材２１に接続して、前項００３０の図１２で示した音響ダンパー取り出し作業の、音道ゴム管３０の管内で前記アーム先端部４を照明して、音響ダンパー取り出し作業の作業環境を向上する。
【図面の簡単な説明】
【００３３】
【図１】  音響ダンパー取り出し器１の正面図
【図２】  音響ダンパー取り出し器１の側面図
【図３】  音響ダンパー取り出し器１の立面図
【図４】  図１〜図３に示した音響ダンパー取り出し器の分解図
【図５】  上記図に示す右突起部とアーム先端部の部分拡大図
【図６】  上記図に示す左突起部とアーム先端部の部分拡大図
【図７】  図５の突起部詳細超拡大図
【図８】  図７の突起部方向のアーム先端部の断面図
【図９】  図７の突起部の断面図
【図１０】  本発明の実施例２の斜視図
【図１１】  本発明の実施例３の斜視図
【図１２】  本発明による実施状態を示す断面図
【図１３】  従来の作業実施状態を示す断面図
【記号の説明】
【００３４】  実施例１の記号の説明
１    音響ダンパー取り出し器
３０  図１２に示す音道ゴム管
２７  図１２に示す音響ダンパー
２ａ  右突起部
２ｂ  左突起部
２ｃ  右突起先端部
２ｄ  左突起先端部
３    アーム部
３ａ  右アーム部
３ｂ  左アーム部
４    アーム先端部
４ａ  右アーム先端部
４ｂ  左アーム先端部
５ａ  右ハンドル部
５ｂ  左ハンドル部
６ａ  右アーム後端部
６ｂ  左アーム後端部
７ａ  右蝶番
７ｂ  左蝶番
７ｃ  右蝶番軸孔
７ｄ  左蝶番軸孔
７ｅ  蝶番軸
Ａａ  右アームの固着部
Ａｂ  左アームの固着部
Ｂａ  右アームの内方湾曲部の始点
Ｂｂ  左アームの内方湾曲部の始点
Ｃ    蝶番軸中心線
Ｄ    蝶番軸中心線Ｃ〜右と左のアーム接合点Ｅまでの寸法
Ｅ    右と左のアーム部材の接合点
α    アーム部材逆Ｌ字の下向きの角度の値
８ａ  右アーム前端部
８ｂ  左アーム前端部
Ｆ    アーム部材の接合点Ｅからアーム先端部の寸法
Ｇａ  右アーム部材の横断面図
Ｇｂ  左アーム部材の横断面図
８ｃ  右アーム前端内側面
８ｄ  左アーム前端内側面
Ｇ    右と左のアーム内方側面を接合した横断面図
2009089337.tif 000004
４ｃ  右アーム先端横側部
４ｄ  右アーム先端横側部
４ｅ  左アーム先端横側部
４ｆ  左アーム先端横側部
β    アーム先端横側部４ｅと４ｆから突起先端部を挟む角度
Ｌ    アーム先端内方側面〜突起先端部の寸法
２ｅ  右アーム突起上面部
２ｆ  右アーム突起上面部の稜線
Ｍ    突起上面部の曲率を表す円形
Ｎ    円Ｍの中心線
Ｏ    円Ｍの中心線〜突起先端部の寸法値
θ    アーム突起先端部の方向
９ａ  右先端稜線部
９ｂ  左先端稜線部
γ    アーム先端部と突起先端を結ぶ稜線の角度
2009089337.tif 000005
１０  スプリング
１０ａ  右スプリング嵌着凹部
１０ｂ  左スプリング嵌着凹部
Ｈ    スプリング嵌着凹部中心線
Ｉ    蝶番軸中心線Ｃ〜スプリング嵌着凹部中心線Ｈまでの寸法
１１ａ  右指グリップ
１１ｂ  左指グリップ
Ｊ    指グリップ凹部の中心線
Ｋ    蝶番軸中心線Ｃ〜指グリップ凹部中心線の寸法
１２ａ  右アームの後部端末
１２ｂ  左アームの後部端末
【００３５】  実施例２の記号の説明
１３    実施例２の音響ダンパー取り出し器
１２ａ  実施例１に示す音響ダンパー取り出し器の右アーム端末部
１２ｂ  実施例１に示す音響ダンパー取り出し器の左アーム端末部
１４ａ  右アーム端末部の伸延曲折部
１４ｂ  左アーム端末部の伸延曲折部
１２ｃ  右アーム部材の伸延最終端末部
１２ｄ  左アーム部材の伸延最終端末部
Ａｃ    右アーム部材の伸延最終端末部固着位置
Ａｄ    左アーム部材の伸延最終端末部固着位置
１５ａ  右スプリング勘着ボックス
１５ｂ  左スプリング勘着ボックス
Ａｅ    右指グリップ部材固着位置
Ａｆ    左指グリップ部材固着位置
１６ａ  右指グリップ部材
１６ｂ  左指グリップ部材
【００３５】  実施例３の記号の説明
１７  実施例３の図１０に示すＬＥＤランプ
１８  ＬＥＤランプ連結材
１９  ＬＥＤランプ固定ビス
２０  ＬＥＤランプリード線
２１  ボタン電池ホルダー
【００３６】  本発明による実施状態を示す記号の説明
２５    図１２、図１３で示すオーダメイド補聴器本体
２６    補聴器本体のシェル
２７    音響ダンパー
２８    音響出力レシーバー
２９    音響出力レシーバーの出力接続部
３０    音道ゴム管
３１    補聴器シェル音口部
３２    補聴器防塵フィルター
３３    オーダメイド補聴器の本体のフェース部
３４    音響レシーバーのリード線
ｅ      音響ダンパーと右突起部の結合点
ｆ      音響ダンパーと左突起部の結合点
Ｐ      音響ダンパー取り出し作業のアーム先端部接合の形状図
【００３７】  図１３で示す従来の作業実施状態を示す記号の説明
３５    従来の作業用注射針
３６    注射針先端部
３６ａ  注射針先端突起部
３７    注射器接続部
ｇ      音響ダンパーと注射針先端突起部の結合点
３０ａ  音道ゴム管の音響レシーバー接続部
３０ｂ  音道ゴム管の音響レシーバー接続部脱絡を示す図
２７ａ  音道ゴム管の接続部脱絡による音響ダンパーを示す図
【図１】
2009089337.tif 000006
【図２】
2009089337.tif 000007
【図３】
2009089337.tif 000008
【図４】
2009089337.tif 000009
【図５】
2009089337.tif 000010
【図６】
2009089337.tif 000011
【図７】
2009089337.tif 000012
【図８】
2009089337.tif 000013
【図９】
2009089337.tif 000014
【図１０】
2009089337.tif 000015
【図１１】
2009089337.tif 000016
【図１２】
2009089337.tif 000017
【図１３】
2009089337.tif 000018